(57)【要約】【課題】工事現場における工程上の異なる時点間の差分を視覚的に表示する。【解決手段】工程表示装置は、工程に関連付けて、工程の日付及び工程における作業の対象となる製品が記憶される工程情報と、製品に関連付けて製品の３次元空間における形状が記憶される製品図形情報と、を格納する記憶部と、工程のそれぞれが終了する日付以前に終了する１又は複数の工程を、工程情報に基づいてそれぞれ特定し、特定した工程を図示する図面を、各工程が終了する日付に関連付けて、図面情報として記憶部に記憶し、任意の２つの日付が選択されるのを受け付け、受け付けた日付のそれぞれに基づいて、図面情報から２つの図面を特定し、特定した２つの図面に含まれる製品の図形を製品図形情報から取得し、２つの図面の間の差分とともに出力装置に表示する制御部と、を備えること、を特徴とする。【選択図】図１５
2014134942.tif 000002
【特許請求の範囲】
【請求項１】
工程に関連付けて、前記工程の日付及び前記工程における作業の対象となる製品が記憶される工程情報と、
前記製品に関連付けて前記製品の３次元空間における形状が記憶される製品図形情報と、を格納する記憶部と、
前記工程のそれぞれが終了する日付以前に終了する１又は複数の工程を、前記工程情報に基づいてそれぞれ特定し、
前記特定した工程を図示する図面を、前記各工程が終了する日付に関連付けて、図面情報として前記記憶部に記憶し、
任意の２つの日付が選択されるのを受け付け、前記受け付けた日付のそれぞれに基づいて、前記図面情報から２つの図面を特定し、
前記特定した２つの図面に含まれる前記製品の図形を前記製品図形情報から取得し、前記２つの図面の間の差分とともに出力装置に表示する制御部と、
を備えること、
を特徴とする工程表示装置。
【請求項２】
前記制御部は、
複数の前記日付が入力装置を介して選択されるのを受け付け、前記受け付けた日付のそれぞれに基づいて、前記図面情報から複数の図面を特定し、
前記特定した複数の図面を時系列で前記出力装置に表示し、
前記表示した図面のうちのある図面と次の日付の図面との差分である前記製品が他の製品によって隠される場合は、次の日付以降の図面についての前記３次元空間における視点を変更すること、
を特徴とする請求項１に記載の工程表示装置。
【請求項３】
前記制御部は、
前記製品が他の製品によって隠される面積が最小になるように、前記視点を変更すること、
を特徴とする請求項２に記載の工程表示装置。
【請求項４】
前記製品図形情報は、
前記製品に関連付けて、前記製品の設備区分を記憶しており、
前記制御部は、
前記設備区分ごとに、前記特定した複数の図面を時系列で前記出力装置に表示すること、
を特徴とする請求項３に記載の工程表示装置。
【請求項５】
前記制御部は、
ある日付に関連付けて、当該日付以前に終了する１又は複数の工程において作業の対象となる製品を図示する図面を出力装置に表示し、
前記表示した図面におけるユーザの操作に基づいて、前記工程情報における工程の日付を更新すること、
を特徴とする請求項４に記載の工程表示装置。
【請求項６】
前記記憶部は、
前記製品の種別及び前記工程の種別との組合せに関連付けて、前記製品の前記図面における表示型式が記憶される作業表示情報を記憶しており、
前記制御部は、
前記製品の種別及び前記工程の種別との組合せごとに、前記表示型式に基づいて前記製品が表示される態様を変えること、
を特徴とする請求項５に記載の工程表示装置。
【請求項７】
前記表示型式は、
静的表示型式及び動的表示型式を含み、
前記静的表示型式は、
前記製品が表示される色彩及び透明度を含み、
前記動的表示型式は、
前記製品が表示される際の点滅間隔を含むこと、
を特徴とする請求項６に記載の工程表示装置。
【請求項８】
前記制御部は、
任意の図面に対する表示設定の変更を、前記任意の図面以外の図面に対しても設定することによって、前記時系列で表示された複数の図面に対する表示設定の一致化を行うこと、
を特徴とする請求項２に記載の工程表示装置。
【請求項９】
記憶部は、
工程に関連付けて、前記工程の日付及び前記工程における作業の対象となる製品が記憶される工程情報と、
前記製品に関連付けて前記製品の３次元空間における形状が記憶される製品図形情報と、を格納しており、
制御部は、
前記工程のそれぞれが終了する日付以前に終了する１又は複数の工程を、前記工程情報に基づいてそれぞれ特定し、
前記特定した工程を図示する図面を、前記各工程が終了する日付に関連付けて、図面情報として前記記憶部に記憶し、
任意の２つの日付が選択されるのを受け付け、前記受け付けた日付のそれぞれに基づいて、前記図面情報から２つの図面を特定し、
前記特定した２つの図面に含まれる前記製品の図形を前記製品図形情報から取得し、前記２つの図面の間の差分とともに出力装置に表示すること、
を特徴とする、前記記憶部及び制御部を備える工程表示装置の工程表示方法。
【請求項１０】
工程表示装置の記憶部に対して、
工程に関連付けて、前記工程の日付及び前記工程における作業の対象となる製品が記憶される工程情報と、
前記製品に関連付けて前記製品の３次元空間における形状が記憶される製品図形情報と、を格納させ、
前記工程表示装置の制御部に対し、
前記工程のそれぞれが終了する日付以前に終了する１又は複数の工程を、前記工程情報に基づいてそれぞれ特定し、
前記特定した工程を図示する図面を、前記各工程が終了する日付に関連付けて、図面情報として前記記憶部に記憶し、
任意の２つの日付が選択されるのを受け付け、前記受け付けた日付のそれぞれに基づいて、前記図面情報から２つの図面を特定し、
前記特定した２つの図面に含まれる前記製品の図形を前記製品図形情報から取得し、前記２つの図面の間の差分とともに出力装置に表示する処理を実行させること、
を特徴とする、前記工程表示装置を機能させる工程表示プログラム。
【発明の詳細な説明】
【技術分野】
【０００１】
本発明は、工程表示装置、工程表示方法及び工程表示プログラムに関する。
【背景技術】
【０００２】
例えば工事現場等において、工程の進捗に応じて現場状況がどのように変化して行くかを記録する、又は、シミュレーションすることが一般的に行われている。その際、現場において撮像された画像、又は、コンピュータが作成した３次元データ等が使用され、視覚的な理解を容易にする。
【０００３】
特許文献１の施工状況記録システムは、固定されたカメラによって工事現場を撮像する。カメラは広範囲の現場状況を、撮影範囲が少しずつ重複した複数の狭範囲の部分に分けて順次撮影し、それらの１纏まりを１回のターン分とする。そして、施工状況記録システムは、１回のターン分の狭範囲の部分を合成し、合成した広範囲の全体像をターン分ごとに順次表示する。特許文献２の建設工事管理装置は、ユーザによって指定された建設機械の３次元モデルデータ及びユーザによって指定された日付における工事現場の３次元モデルデータを表示し、ユーザによって入力された搬入又は据付対象機器の３次元モデルデータを、工事現場の３次元モデルデータ内に配置する。さらに、建設機械によって対象機器を工事現場に搬入又は据付けるシミュレーションを行う。
【先行技術文献】
【特許文献】
【０００４】
【特許文献１】特開２０１２−１３７９４３号公報（図２、４、１０等）
【特許文献２】特開２００４−１５１９８４号公報（請求項３等）
【発明の概要】
【発明が解決しようとする課題】
【０００５】
工事現場においては、例えば組立対象となる製品（建設資材や設備）の搬入、その製品に対して作業を行う作業員の入退場等が頻繁かつ複雑に繰り返される。そこで、例えば現場監督者、スケジュール立案者等は、どの工程においてどの製品の搬入が行われたか又は行われる予定であるか、どの工程においてどの作業が行われたか又は行われる予定であるかを正確に知ることが必須である。
しかしながら、特許文献１及び２の発明は、ある時点とその後の他の時点との間において、搬入された又は搬入される予定の製品がどのように変化するか、行われた又は行われる予定の作業がどのように変化するかをわかりやすく表示するものではない。つまり、異なる時点間の差分を視覚的に表示するものではない。
そこで、本発明は、工事現場における工程上の異なる時点間の差分を視覚的に表示することを目的とする。
【課題を解決するための手段】
【０００６】
本発明の工程表示装置は、工程に関連付けて、工程の日付及び工程における作業の対象となる製品が記憶される工程情報と、製品に関連付けて製品の３次元空間における形状が記憶される製品図形情報と、を格納する記憶部と、工程のそれぞれが終了する日付以前に終了する１又は複数の工程を、工程情報に基づいてそれぞれ特定し、特定した工程を図示する図面を、各工程が終了する日付に関連付けて、図面情報として記憶部に記憶し、任意の２つの日付が選択されるのを受け付け、受け付けた日付のそれぞれに基づいて、図面情報から２つの図面を特定し、特定した２つの図面に含まれる製品の図形を製品図形情報から取得し、２つの図面の間の差分とともに出力装置に表示する制御部と、を備えること、を特徴とする。
その他の手段については、発明を実施するための形態のなかで説明する。
【発明の効果】
【０００７】
本発明によれば、工事現場における工程上の異なる時点間の差分を視覚的に表示することが可能になる。
【図面の簡単な説明】
【０００８】
【図１】本実施形態の工程表示装置の構成図である。
【図２】本実施形態に係る３次元図面の一例を示す図である。
【図３】本実施形態に係る工程情報の一例を示す図である。
【図４】本実施形態に係る製品図形情報の一例を示す図である。
【図５】本実施形態に係る作業表示情報の一例を示す図である。
【図６】（ａ）は、本実施形態に係る工程順序情報の一例を示す図であり、（ｂ）は、本実施形態に係る工程チャートの一例である。
【図７】本実施形態に係る図面情報の一例を示す図である。
【図８】（ａ）は、本実施形態に係るどうてき静的表示型式の一例を示す図であり、（ｂ）は、本実施形態に係る動的表示型式の一例を示す図であり、（ｃ）は、本実施形態に係る視点等の説明図である。
【図９】本実施形態に係るスケジュール表示画面の一例を示す図である。
【図１０】本実施形態に係るスケジュール表示画面の一例を示す図である。
【図１１】本実施形態に係るスケジュール表示画面の一例を示す図である。
【図１２】本実施形態に係るスケジュール表示画面の一例を示す図である。
【図１３】本実施形態に係るスケジュール表示画面の一例を示す図である。
【図１４】本実施形態に係るスケジュール表示画面の一例を示す図である。
【図１５】本実施形態に係る差分表示画面の一例を示す図である。
【図１６】本実施形態に係る差分表示画面の一例を示す図である。
【図１７】本実施形態に係る差分表示画面の一例を示す図である。
【図１８】本実施形態に係る連続表示画面の一例を示す図である。
【図１９】本実施形態に係る連続表示画面の一例を示す図である。
【図２０】本実施形態に係る連続表示画面の一例を示す図である。
【図２１】本実施形態に係る設備区分別連続表示画面の一例を示す図である。
【図２２】本実施形態に係るサムネイルフローチャートの一例を示す図である。
【図２３】本実施形態に係る全体処理手順のフローチャートの一例である。
【発明を実施するための形態】
【０００９】
以降、本発明を実施するための形態（「本実施形態」という）を、図等を参照しながら、プラント建設を例として詳細に説明する。
【００１０】
（工程表示装置）
図１に沿って、工程表示装置１を説明する。工程表示装置１は、一般的なコンピュータであり、中央制御装置１１、キーボード、マウス等の入力装置１２、ディスプレイ等の出力装置１３、主記憶装置１４及び補助記憶装置１５を有する。これらはバスによって相互に接続されている。補助記憶装置１５は、工程情報３１、製品図形情報３２、作業表示情報３３、工程順序情報３４及び図面情報３５を記憶している（詳細後記）。主記憶装置１４における、形状工程連携部２１及び工程視覚化部２２はプログラムである。以降、「○○部は」と主体を記した場合は、中央制御装置１１が、補助記憶装置１５から各プログラムを読み出し、主記憶装置１４にロードしたうえで、各プログラムの機能を実現するものとする（詳細後記）。
【００１１】
図２に沿って、３次元図面５１を説明する。３次元図面５１は、工程視覚化部２２が、製品図形情報３２に基づいて、出力装置１３に表示する図面である（詳細後記）。ここでは、図２が具体的に何を示しているかを中心に説明する。「Ｐ００１」等は、製品を一意に特定する識別子である製品ＩＤである。製品とは、工事現場に個別に搬入され組み立てられた結果、集合的にプラントを構成することになるあらゆるものを意味する。製品ＩＤは、製品を表す図形を一意に特定する識別子でもある。直方体Ｐ００５は、「空調機」である。空調機Ｐ００５は、熱を発する他の諸設備から熱を吸収し、その熱をプラントの外部に放出する。空調機Ｐ００５には、熱を一時的に保持する水が循環している。円柱Ｐ００１、Ｐ００２及びＰ００３は、その水を通す「断熱鋼管」である。蛇腹形円柱Ｐ００４は、空調機Ｐ００５と断熱鋼管Ｐ００３とを接続する「断熱フレキシブルジョイント」である。断熱フレキシブルジョイントは、略して「ジョイント」とも呼ぶ。空調機Ｐ００５の動力源は電力である。直方体Ｐ０１４は、「分電盤」である。板状の図形Ｐ０１１、Ｐ０１２及びＰ０１３は、分電盤Ｐ０１４からの電力を空調機Ｐ００５に供給する電力ケーブルを格納するケーブルダクトである。
【００１２】
（工程情報）
図３に沿って、工程情報３１を説明する。工程情報３１においては、工程ＩＤ欄１０１に記憶された工程ＩＤに関連付けて、工程名称欄１０２には工程名称が、工程種別欄１０３には工程種別が、製品種別欄１０４には製品種別が、製品ＩＤ欄１０５には製品ＩＤが、工数欄１０６には工数が、開始予定欄１０７には開始予定日が、終了予定欄１０８には終了予定日が、開始実績欄１０９には開始日が、終了実績欄１１０には終了日が記憶されている。
【００１３】
工程ＩＤ欄１０１の工程ＩＤは、工程を一意に特定する識別子である。工程とは、時間的に連続して行われる作業の纏まりである。
工程名称欄１０２の工程名称は、工程の名称である。
工程種別欄１０３の工程種別は、工程のカテゴリである。ここでは、製品を工事現場の倉庫等で受け取る「着荷」、製品を製品の据付場所に運び込む「搬入」、精密作業に備えて製品の位置を仮に固定する「フィットアップ」、（金属）製品を接続する「溶接」、製品に対してユーザ仕様等を入力する「設定」、及び、製品のテストである「検査」のうちのいずれかである。
製品種別欄１０４の製品種別は、製品のカテゴリである。ここでは、「機器」又は機器間を結ぶ「配管」のいずれかである。
【００１４】
製品ＩＤ欄１０５の製品ＩＤは、前記した製品ＩＤである。ここでの製品ＩＤは、当該工程において、作業の対象となる１又は複数の製品を特定している。
工数欄１０６の工数は、当該工程に必要な１日ごとの作業員数を日数分積算した数値である。図示は省略したが、工程表示装置１の補助記憶装置１５は、工程ＩＤごとかつ日付ごとに工数が記憶された工数テーブルを格納しているものとする。
開始予定欄１０７の開始予定日は、当該工程が開始する予定の年月日である。
終了予定欄１０８の終了予定日は、当該工程が終了する予定の年月日である。
開始実績欄１０９の開始日は、当該工程が実際に開始した年月日である。よって、開始実績欄１０９は、当該工程が開始する前は空欄である。
終了実績欄１１０の終了日は、当該工程が実際に終了した年月日である。よって、終了実績欄１１０は、当該工程が終了する前は空欄である。
工程情報３１のレコードは工程の数だけ存在する。なお、図３において「2008xxyy」との記載は、当該欄に何らかの異なる値が記憶されていることを省略的に意味している。
【００１５】
（製品図形情報）
図４に沿って、製品図形情報３２を説明する。製品図形情報３２においては、製品ＩＤ欄１２１に記憶された製品ＩＤに関連付けて、製品名称欄１２２には製品名称が、設備区分欄１２３には設備区分が、製品種別欄１２４には製品種別が、形状欄１０５には形状が、位置欄１２６には位置が記憶されている。
製品ＩＤ欄１２１の製品ＩＤは、前記した製品ＩＤである。
製品名称欄１２２の製品名称は、製品の名称である。
設備区分欄１２３の設備区分は、製品の機能別のカテゴリであり、ここでは「空調」又は「電気」のいずれかである。もちろん他に「機械」、「制御」等のカテゴリがあってもよい。設備区分は、作業員の職種にも対応している。
【００１６】
製品種別欄１２４の製品種別は、図３の製品種別と同じである。
形状欄１２５の形状は、製品の形状を３次元空間で表す場合に必要な情報である。この情報は、製品の形状によって異なる。例えば、製品が直方体である場合、形状は、「直方体」、「縦ｘ１」、「横ｙ１」及び「高さｚ１」の組合せとなる。「ｘ１」等の値は、製品の実物の長さを示しており、その単位は例えば「ｍ」である。これらの値は、実空間内での長さを工程表示装置１の３次元空間内の長さに変換する縮尺に応じて、各軸方向（図２のＸ軸、Ｙ軸及びＺ軸の方向）の長さに換算される。さらに形状は、特定の面の法線ベクトル、面・線分の基準色彩（変化する前の色彩、詳細後記）等を含んでもよい。
位置欄１２６の位置は、製品が単一物質から組成されていると仮定した場合の、製品の重心の位置（３次元空間における座標値）である。
製品図形情報３２のレコードは製品の数だけ存在する。
工程視覚化部２２は、製品図形情報３２のレコード１つについて１つの図形を３次元空間内に表す（レンダリングする）ことができる。
【００１７】
（作業表示情報）
図５に沿って、作業表示情報３３を説明する。作業表示情報３３においては、製品種別欄１３１に記憶された製品種別に関連付けて、工程種別欄１３２には工程種別が、静的表示型式欄１３３には静的表示型式が、動的表示型式欄１３４には動的表示型式が記憶されている。
製品種別欄１３１の製品種別は、図３の製品種別と同じである。
工程種別欄１３２の工程種別は、図３の工程種別と同じである。
【００１８】
静的表示型式欄１３３の静的表示型式は、当該製品が当該工程にあるとき、３次元空間内（画面上）でどのように静的に表示されるかを示す。ここでの静的表示型式は、色彩と透明度との組合せである。例えば、図８（ａ）に示すように、断熱鋼管Ｐ００１が断熱鋼管Ｐ００２と溶接されるとき、溶接部分１６１は、画面上赤色で表示される。その他の部分は前記した基準色彩で表示される。さらに、断熱鋼管Ｐ００１及び断熱鋼管Ｐ００２は、「透明度５０％」で表される。一般的に、画面上で、ある図形Ａ（前面）が他の図形Ｂ（背後）を隠しているとする。そして図形Ａの透明度がｔ％（０≦ｔ≦１００）であるとする。このとき、２つの図形が重複している部分においては、「図形Ａの画素値を示す画素の数：図形Ｂの画素値を示す画素の数」の比が、「１００-ｔ：ｔ」となる。重複しない場合の透明度は、常に０％であってもよいし、重複の有無に関係なく同一の透明度が設定されてもよい。
【００１９】
動的表示型式欄１３４の動的表示型式は、当該製品が当該工程にあるとき、３次元空間内（画面上）でどのように動的に表示されるかを示す。例えば「上方＋５０ｍより指定位置へ移動」（図５の２行目）を図示したものが図８（ｂ）である。断熱鋼管Ｐ００１は、位置１６２ｂに配置される。つまり、図４の１行目のレコードの位置欄１２６に記憶されている位置は、図８（ｂ）の位置１６２ｂである。位置１６２ａは、位置１６２ｂの上方５０ｍの位置（Ｘ座標及びＹ座標が同じであり、Ｚ座標が５０ｍに相当する分だけ大きい）である。断熱鋼管Ｐ００１は、位置１６２ａから位置１６２ｂに画面上を移動する。
【００２０】
作業表示情報３３のレコードは、製品種別と工程種別との組合せの数だけ存在する。図５の１〜５行目のレコードを参照すると、工程視覚化部２２は、工程が進捗するにつれて、例えば断熱鋼管Ｐ００１を、以下のように表示することがわかる。
（１）工程種別「着荷」において、断熱鋼管Ｐ００１を、図８（ｂ）の位置１６２ａにフェードイン（不鮮明な状態で出現しやがて鮮明な状態になる）させる。このとき、断熱鋼管Ｐ００１をオレンジ色かつ透明度５０％で表示する。
（２）工程種別「搬入」において、断熱鋼管Ｐ００１を、図８（ｂ）の位置１６２ａから位置１６２ｂへ移動する。この移動を繰り返し表示してもよい。このとき、断熱鋼管Ｐ００１は水色かつ透明度５０％で表示される。
（３）工程種別「フィットアップ」において、断熱鋼管Ｐ００１を、青色かつ透明度５０％で表示したうえで、１秒間隔で点滅させる。
（４）工程種別「溶接」において、断熱鋼管Ｐ００１を、赤色かつ透明度５０％で表示したうえで、１秒間隔で点滅させる。
（５）工程種別「検査」において、断熱鋼管Ｐ００１を、紺色かつ透明度５０％で表示したうえで、２秒間隔で点滅させる。
【００２１】
（工程順序情報）
図６（ａ）に沿って、工程順序情報３４を説明する。工程順序情報３４においては、前工程ＩＤ欄１４１に記憶された前工程ＩＤに関連付けて、後工程ＩＤ欄１４２には後工程ＩＤが記憶されている。
前工程ＩＤ欄１４１の前工程ＩＤは、前工程を特定する工程ＩＤである。工程Ａが工程Ｂの直前に実行される場合、これら両者間の関係において、工程Ａを前工程と呼び、工程Ｂを後工程と呼ぶ。
後工程ＩＤ欄１４２の後工程ＩＤは、後工程を特定する工程ＩＤである。
なお、図６（ａ）をフローチャートとして表現すると、図６（ｂ）の工程チャートのようになる。なお、工程チャートにおいて縦位置（上下位置）が同じ複数の工程（例えば、Ｗ００１及びＷ０１０）は、必ずしも同じ時点で実行されるとは限らない。
【００２２】
（図面情報）
図７に沿って、図面情報３５を説明する。図面情報３５においては、図面ＩＤ欄１５１に記憶された図面ＩＤに関連付けて、表示工程ＩＤ欄１５２には表示工程ＩＤが、表示日付欄１５３には表示日付が、製品差分欄１５４には製品差分が、状態差分欄１５５には状態差分が記憶されている。
図面ＩＤ欄１５１の図面ＩＤは、図面を一意に特定する識別子である。工程のそれぞれが終了する日付（表示日付）が特定されると、その日付以前に終了している又は終了する予定である１又は複数の他の工程及びその工程が特定される。これらの工程が特定されると、これらの工程に含まれる作業の対象となる全ての製品が特定される。特定された製品のうち、表示日付以前に工事現場から搬出されたもの（更新される旧設備、仮設足場等）以外の図形を記載した３次元図面５１（図２）が、ここでいう図面である。
【００２３】
表示工程ＩＤ欄１５２の表示工程ＩＤは、前記した表示日付以前に終了している又は終了する予定である工程の工程ＩＤである。なお、工程ＩＤに引かれた下線は、その工程ＩＤが、直前の図面（直ぐ上のレコード）には存在しない工程ＩＤであることを示す。
表示日付欄１５３の表示日付は、前記した表示日付そのものである。
製品差分欄１５４の製品差分は、当該図面に記載される製品のうち、直前の図面に記載されていない製品の製品ＩＤである。最初の図面Ｆ００１については、その直前の図面が存在しないので、図面Ｆ００１に記載される全ての製品の製品ＩＤが製品差分となる。
状態差分欄１５５の状態差分は、当該図面についての製品差分が存在しない場合において、当該図面において初めて表現される作業の対象となる製品の製品ＩＤである。例えば、「溶接」の前後において製品の有無について差異は生じない。しかしながら、溶接が済んでいるか否かの状態の差異は存在する。
【００２４】
例えば、図７の１〜４行目を参照しつつ図３及び図５を見ると以下のことがわかる。
（１）２００８年１０月４日における工事現場を表す図面として、図面Ｆ００１がある。図面Ｆ００１は、工程Ｗ００１（配管着荷）が終了する結果として、断熱鋼管Ｐ００１、Ｐ００２及びＰ００３を記載している（図３の１行目、図７の１行目）。なお、これらは、オレンジ色かつ透明度５０％で記載され、上方＋５０ｍにフェードインする（図５の１行目）。
（２）２００８年１０月６日における工事現場を表す図面として、図面Ｆ００２がある。図面Ｆ００２は、工程Ｗ００１及びＷ００２（配管現場搬入）が終了する結果として、断熱鋼管Ｐ００１、Ｐ００２及びＰ００３を記載している（図３の１、２行目、図７の２行目）。なお、これらは、水色かつ透明度５０％で記載され、上方＋５０ｍより指定位置へ移動する（図５の２行目）。
【００２５】
（３）２００８年１０月８日における工事現場を表す図面として、図面Ｆ００３がある。図面Ｆ００３は、工程Ｗ００１、Ｗ００２、Ｗ００３（配管フィットアップ東側）及びＷ００５（配管フィットアップ西側）が終了する結果として、断熱鋼管Ｐ００１、Ｐ００２及びＰ００３を記載している（図３の１、２、３、５行目、図７の３行目）。なお、これらは、青色かつ透明度５０％で記載され、１秒間隔で点滅する（図５の３行目）。
（４）２００８年１０月１０日における工事現場を表す図面として、図面Ｆ００４がある。図面Ｆ００４は、工程Ｗ００１、Ｗ００２、Ｗ００３、Ｗ００５及びＷ００７（空調機設置）が終了する結果として、断熱鋼管Ｐ００１、Ｐ００２、Ｐ００３及び空調機Ｐ００５を記載している（図３の１、２、３、５、７行目、図７の４行目）。なお、これらのうち、空調機Ｐ００５は、緑色かつ透明度０％で下方＋２０ｍより指定位置へ移動する（図５の６行目）。
【００２６】
図８（ａ）及び（ｂ）については既に説明した。図８（ｃ）に沿って、視点等を説明する。工程視覚化部２２は、３次元空間内のある視点１６３から、その３次元空間内に置かれた複数の立体図形Ｐ００１等を眺める。このような３次元の位置関係を出力装置１２に表示する場合、３次元の位置関係を２次元の位置関係に展開（変換）する必要がある。そのためには、工程視覚化部２２は、全ての立体図形を包絡し、かつ視点１６３を頂点とする円錐を定義する。そして、工程視覚化部２２は、当該円錐の底面に平行であって視点から充分離れた投影平面（図示せず）に対して、全ての立体図形を投影し、投影結果を出力する。なお、図８（ｃ）においては、分かり易さのために、図面を、円錐の底面と平行ではなく、紙面と平行に記載した。
【００２７】
いま、投影対象となる複数の立体図形は所与であるとする。投影結果は、視点１６３の選び方によって無限に変化する。工程視覚化部２２は、投影平面において立体図形の外縁を示す図形同士が重なる面積が最小となるように、視点１６３、視野角１６４及び視線方向１６５を決定する。処理速度を上げるためには、工程視覚化部２２は、例えば視野角１６４、３次元座標空間の原点と視点１６３との距離等を、所定の値に固定することも可能である。
工程視覚化部２２は、このような投影上の視点、視線方向、視野角、投影結果の表示縮尺、その背景の表示色、またワイヤフレーム表示/塗りつぶし表示/稜線付き表示等のレンダリング情報を含み、さらに選択図形の設定色、特定の図形又は同種図形群共通の設定色、テクスチャ、及び、表示オンオフ等を含む表示設定について制御を行う。
【００２８】
図９〜図１４に沿って、スケジュール表示画面５２、５３を、工程視覚化部２２が実行する処理と併せて説明する。図９のスケジュール表示画面５２は、縦軸に工程名称１７１及び工程ＩＤ１７２をとり、横軸に日付目盛り１７３及び曜日１７４をとったマトリックスである。縦軸と横軸との交点を「セル」と呼ぶ。例えば行１７５ａに注目すると、隣接する１又は複数のセルに跨って、長方形のバー１７６ａが表示されている。このバー１７６ａが跨ぐセルのうち、左端のセルの横軸（日付）は、工程情報３１（図３）の１行目の開始予定日である。右端のセルの横軸（日付）は、工程情報３１（図３）の１行目の終了予定日である。
【００２９】
図１０のスケジュール表示画面５２は、図９に比して、各行に表示されているバー１７６ａ等の位置が異なる。工程視覚化部２２は、図９の各バー１７６ａ〜１７６ｏの左端及び右端のセルの位置を、工程情報３１（図３）のそれぞれ開始予定日及び終了予定日に一致させている。
しかしながら、図１０においては、工程視覚化部２２は、ユーザが、画面上に表示する期間の最初の日付（１０月１日）及び最後の日付（１０月３１日）を指定するのを受け付ける。これらの日付は、工程情報３１に記憶されている開始予定日等とは無関係であってもよい。そして、工程視覚化部２２は、これらの日付間の期間（指定期間）において、以下の式１〜式３を使用して、個々の工程についての左端及び右端の日付を決定し、バー１７６ａ等を配置する。
【００３０】
式１：バーの左端の日付＝指定された最初の日付＋（当該工程の開始予定日の日付−最初の工程の開始予定日の日付）×変換比率
式２：バーの右端の日付＝指定された最初の日付＋（当該工程の終了予定日の日付−最初の工程の開始予定日の日付）×変換比率
式３：変換比率＝（指定された最後の日付−指定された最初の日付）／（最後の工程の終了予定日の日付−最初の工程の開始予定日の日付）
【００３１】
図１１は、工程視覚化部２２が、スケジュール表示画面５２のバー１７６ｃに関連付けて図面５１を表示する例を示している。図９のスケジュール表示画面５２において、工程視覚化部２２は、ユーザがバー１７６ｃをマウス等で選択するのを受け付けた（バー１７６ｃの上にマウスカーソルが置かれたことを検知した）とする。すると、工程視覚化部２２は、バー１７６ｃの右端のセルの日付（１０月８日）を取得する。そして、工程視覚化部２２は、図面情報３５（図７）のレコードのうちから、「１０月８日」以前の表示日付であって最も後の表示日付を有するレコードの図面ＩＤが特定する図面（図１１の符号５１）を、画面の一部に表示する。図１１の図面５１は、断熱鋼管Ｐ００１及びＰ００２が搬入され、フィットアップされた後の様子を表示している。ユーザは、例えば、図面５１の任意の箇所にマウスを動かしクリックすると、工程視覚化部２２は、出力装置１３の画面一杯に、図面５１を拡大して表示する（図１２）。断熱鋼管Ｐ００１及びＰ００２は青色かつ透明度５０％で表示され、１秒間隔で点滅している（図５の３行目参照）。
【００３２】
この状態で、ユーザが図１２の断熱鋼管Ｐ００１にマウスを動かしクリックしたとする。すると、工程視覚化部２２は、図面５１の一部にスケジュール表示画面５２を表示する。工程視覚化部２２は、さらに、製品ＩＤ「Ｐ００１」、工程種別「フィットアップ」及び製品種別「配管」を検索キーとして工程情報３１（図３）を検索し、該当するレコードの工程ＩＤを取得する。そして、スケジュール表示画面５２において、取得した工程ＩＤ（Ｗ００３）を有する行１７５ｃの工程名称１７７ｃ及びバー１７６ｃを強調表示する。
【００３３】
図１３は、工程視覚化部２２が、スケジュール表示画面５３に、工数を併せて表示する例を示している。工程視覚化部２２は、各行のバーの右横に工数１７８ａ〜１７８ｏを表示している。これらの工数１７８ａ〜１７８ｏは、工程情報３１（図３）の工数欄１０６に記憶されている工数である。ユーザは、基準線１７９をマウスで掴み左右に動かす。すると、工程視覚化部２２は、基準線１７９の日付を含みそれより左側にある全てのバーの全体又は一部に対応する工数を合計し、合計結果を「総合工数○○」１８０のように表示する。さらに、工程視覚化部２２は、日付ごとに各工程の工数を合計し、合計結果を時系列のグラフ１８１ａとして表示する。工程視覚化部２２は、バーに関連付けられた工程ＩＤを検索キーとして工程情報３１を検索し、対応する製品ＩＤを取得する。続いて、取得した製品ＩＤを検索キーとして製品図形情報３２を検索し、対応する設備区分を取得する。そして、取得した設備区分に基づいて、グラフ１８１ａを、「空調」のグラフ１８１ｂ及び「電気」のグラフ１８１ｃに按分する。
【００３４】
図１４は、工程視覚化部２２が、スケジュール表示画面５２の各工程の開始予定日及び終了予定日に関連付けて、図面のサムネイルを表示する例を示している。工程視覚化部２２は、ユーザがこのような表示を要求する指示を入力するのを受け付けると、まず、全ての工程のバーについて開始予定日及び終了予定日を取得する。例えば工程の数が１０個である場合、２０個の日付が取得される。そして、工程視覚化部２２は、２０個の取得した日付のそれぞれについて、図面情報３５（図７）のレコードのうちから、その日付以前の表示日付であって最も後の表示日付を有するレコードを取得する。さらに、取得したレコードの図面ＩＤが特定する図面を、スケジュール表示画面５２の一部に時系列で表示する（図１４の符号１８２ａ〜１８２ｃ、１８３ａ〜１８３ｃ）。
【００３５】
ユーザは、任意のバー１７６ｐ、１７６ｑ、１７６ｒ等をマウスで選択して、同じ行にある他の位置に移動することができる。図１４において、ユーザは、工程Ｂのバー１７６ｑを２２日分遡らせている。すると、工程視覚化部２２は、工程情報３１の工程Ｂについてのレコードにおいて、開始予定日及び終了予定日を２２日分遡らせて更新する。このとき、工程視覚化部２２は、工程順序情報３４（図６（ａ））を参照し、工程Ｂを特定する工程ＩＤ「Ｗ１０２」の前工程ＩＤ、さらにその前工程ＩＤの前工程ＩＤ・・・を取得する。そして、取得した全ての前工程ＩＤを有する工程情報３１のレコードの開始予定日及び終了予定日を２２日分遡らせて更新する。
【００３６】
図１５〜図１７に沿って、差分表示画面５４を、工程視覚化部２２が実行する処理と併せて説明する。いま、ユーザは、スケジュール表示画面５２（図９）を見ており、マウス等で２つの日付を選択する。すると、工程視覚化部２２は、図１５の差分表示画面５４に表示を切り替える。そして、工程視覚化部２２は、選択された２つの日付のそれぞれについて、図面情報３５（図７）のレコードのうちから、その日付以前の表示日付であって最も後の表示日付を有するレコードを取得する。そして、取得したレコードの図面ＩＤが特定する図面Ｆ００３、Ｆ００４を時系列で表示する。さらに、工程視覚化部２２は、表示した２つの画面の画面ＩＤを検索キーとして図面情報３５を検索し、製品差分又は状態差分を取得する。そして、取得した製品差分又は状態差分を差分１８６として表示する。このとき、工程視覚化部２２は、差分１８６において、空調機Ｐ００５が他の製品に隠されることがないように、視点１６３（図８（ｃ））を変更してもよい。さらに、差分１８６において、空調機Ｐ００５を図面Ｆ００３に比して拡大して表示してもよい。
【００３７】
図１６を参照すると、選択された１つ目の日付の図面Ｆ００３には、「足場」Ｐ０３１が表示されている。選択された２つ目の日付の図面Ｆ００４では、「足場」Ｐ０３１は既に撤去されており、空調機Ｐ００５が新たに搬入されて表示されている。このような場合、工程視覚化部２２は、撤去された足場Ｐ０３１を破線で表示し、搬入された空調機Ｐ００５を実線で表示し、差分１８６とする。
【００３８】
図１７を参照すると、選択された２つの日付の図面Ｆ００２と図面Ｆ００３との間には一見して差分がないように見える。しかしながら、図面Ｆ００２においては、工程Ｗ００３（配管フィットアップ東側）及び工程Ｗ００５（配管フィットアップ西側）が未だ実行されていないのに対して、図面Ｆ００３においては、工程Ｗ００３及び工程Ｗ００５が既に実行されている。よって、工程視覚化部２２は、差分１８６として、断熱鋼管Ｐ００１及び断熱鋼管Ｐ００２がフィットアップされている様子、及び、断熱鋼管Ｐ００２及び断熱鋼管Ｐ００３がフィットアップされている様子を表示する。当然、差分１８６においては、網掛け部分が、青色かつ透明度５０％で表示され、１秒間隔で点滅している。
【００３９】
図１８〜図２０に沿って、連続表示画面５５を、工程視覚化部２２が実行する処理と併せて説明する。いま、ユーザが図９において、横軸の日付目盛り１７３から、任意の異なる６つの日付を選択したとする。そして、工程視覚化部２２は、選択された日付のそれぞれに関連付けて、６つの図面を表示したとする。この際の表示例が、図１８及び図１９の連続表示画面５５である。各図面の上辺の上に表示されている「ｎ」等は日付を示す。ただし、ここでの例のように、必ずしも日付が連続している必要はない。
【００４０】
図１８と図１９とでは、３次元空間内における視点１６３（図８（ｃ））が異なる。図１８では、工程視覚化部２２は、空調機Ｐ００５の右斜め上方に視点を設定している。よって、図面１９１ｂ等においては、空調機Ｐ００５の正面、平（上）面及び右側面が図面上に現れている。一方、図１９では、工程視覚化部２２は、空調機Ｐ００５の左斜め上方に視点１６３を設定している。よって、図面１９２ｂ等においては、空調機Ｐ００５の正面、平（上）面及び左側面が図面上に現れている。
ユーザは、図１９の図面１９２ｃ〜１９２ｆにおいては、断熱フレキシブルジョイントＰ００４の存在を視認することができない。なぜならば、空調機Ｐ００５が断熱フレキシブルジョイントＰ００４を隠しているからである。空調機Ｐ００５の透明度が０％でない場合、ユーザは辛うじて断熱フレキシブルジョイントＰ００４の存在に気づくかもしれないが、分かりにくいことには違いない。
【００４１】
このような状況で、工程視覚化部２２は、ユーザが図面１９２ｂの任意の箇所をマウスでクリックするのを受け付ける。すると、工程視覚化部２２は、図面１９２ｂ及びその後の日付の図面１９２ｃ〜１９２ｆの視点１６３を、空調機Ｐ００５の右斜め上方に変更する（図２０の連続表示画面５５）。図２０のように表示することによって、工程視覚化部２２は、図面１９３ｃから図面１９３ｆに至るまで、製品の図形を死角なしで表示できる。しかしながら、工事現場において、製品等が実際に配置されていく様子はこのように単純ではない。例えば、ある製品を見やすくすれば他の製品が隠れる、日付が進むにつれて、ある製品が繰り返し隠れたり現れたりする等が起こり得る。
【００４２】
そこで、さらに一般的に、工程視覚化部２２は、例えば以下の条件を満たすように、図面ごとに視点１６３を設定し得るものとする。
（条件１）当該図面と直前の図面との間の差分となるような図形が他の図形によって隠される面積が最小であること。このとき、差分となるような図形は、特定の設備区分（例えば「空調」等）に関連付けられた部分に限定されてもよい。
（条件２）差分となるような図形を、直前の画面に比して所定の比率で拡大できること。
なお、ここでは、工程視覚化部２２は、図面１９２ｂ及びその後の日付の図面１９２ｃ〜１９２ｆについて視点のみを揃える例を説明した。しかしながら、工程視覚化部２２は、前記した表示設定に含まれる１又は複数の要素（視点、視野角、投影結果の表示縮尺等）を、複数の図面について一致させる一致化を行うことができる。
【００４３】
工程視覚化部２２は、図面を設備区分ごとに分割して表示してもよい。この表示例が、図２１の設備区分別連続表示画面５６である。図２１の図面１９４ａ及び１９４ｂは、それぞれ図１８の図面１９１ｅ及び１９１ｆと同じである。工程視覚化部２２は、ユーザの指示を受け付けると、製品図形情報３２（図４）の設備区分が「空調」である製品の図形を強調表示したうえで２行目の図面１９４ｃ、１９４ｄ等として表示し、設備区分が「電気」である製品の図形を強調表示したうえで３行目の図面１９４ｅ、１９４ｆ等として表示する。工程視覚化部２２は、必ずしも全ての設備区分について表示しなければならないわけではない。例えば、ユーザが「空調」を選択するのを受け付けると、２行目の図面１９４ｃ、１９４ｄ等のみを表示してもよい。
【００４４】
工程視覚化部２２は、サムネイルフローチャート５７（図２２）を表示することもできる。図２２の図面（サムネイル）１９５ａ〜１９５ｏは、図６（ｂ）の工程チャートのそれぞれ「Ｗ００１」、「Ｗ００２」、・・・、「Ｗ０１５」に対応している。
工程視覚化部２２は、まず図６（ｂ）の工程フローチャートを出力装置１３に表示し、ユーザが任意の工程をマウスで選択するのを受け付ける。次に、工程視覚化部２２は、図面情報３５（図７）を参照し、選択された工程の工程ＩＤ（ただし下線付き）を表示工程ＩＤ欄１５２に有するレコードの図面ＩＤを取得する。そして工程チャートの工程ＩＤを、取得した図面ＩＤが特定する図面で置換して表示する。このとき、工程視覚化部２２は、図面を、制限された所定の大きさを有するサムネイルとして表示するのが好ましい。
【００４５】
工程視覚化部２２は、ユーザが選択した工程のみを図面に置換してもよいし、工程順序情報３４（図６（ａ））を参照し、選択された工程から見て前工程となる全ての工程について図面に置換してもよい。また、選択された工程から見て後工程となる全ての工程について図面に置換してもよい。
【００４６】
（全体処理手順）
図２３に沿って、全体処理手順を説明する。
ステップＳ２０１において、形状工程連携部２１は、工程情報３１（図３）の入力を受け付ける。具体的には、形状工程連携部２１は、ユーザが入力装置１２を介して工程情報３１及び工数テーブルを入力するのを受け付ける。ユーザは、画面表示されている工程情報３１の空欄に文字等をキーボードで入力してもよいし、他の装置が既に作成している工程情報３１を、媒体を介して又はネットワークを介して工程表示装置１に入力してもよい。このことは、後記する製品図形情報３２、作業表示情報３３及び工程順序情報３４の入力についても同様である。
【００４７】
ステップＳ２０２において、形状工程連携部２１は、製品図形情報３２（図４）の入力を受け付ける。
ステップＳ２０３において、形状工程連携部２１は、作業表示情報３３（図５）の入力を受け付ける。
ステップＳ２０４において、形状工程連携部２１は、工程順序情報３４（図６（ａ））の入力を受け付ける。
【００４８】
ステップＳ２０５において、形状工程連携部２１は、図面情報３５を作成（記憶）する。すなわち、形状工程連携部２１は、工程のそれぞれが終了する日付以前に終了する１又は複数の工程を、工程情報３１に基づいてそれぞれ特定し、特定した工程を図示する図面を、各工程が終了する日付に関連付けて、図面情報３５として補助記憶装置１５に記憶する。
具体的には、第１に、形状工程連携部２１は、工程情報３１（図３参照）のレコードを終了予定日の早い順に並び替える。いま、レコードの総数は「ｎ」個であるとする。
【００４９】
第２に、形状工程連携部２１は、以下の（１）〜（５）の処理を実行する。
（１）「第１」において並び替えた最初のレコードからｐ番目（但し、「ｐ＝１、２、３、４、・・・、ｎ」である。）のレコードまでの全てのレコードの工程ＩＤをｐ個取得する。最初の処理では、ｐ＝１であるので、最初のレコード１つのみが取得される。ｐ番目のレコードの終了予定日が、ｐ＋１のレコードの終了予定日と同じである場合は、最初のレコードからｐ＋１番目のレコードまでの全てのレコードの工程ＩＤを取得する。
（２）図面情報３５の新たなレコードを作成する。
（３）新たなレコードの表示工程ＩＤ欄１５２に、（１）において取得した工程ＩＤを記憶する。直前のレコードに比して増加した工程ＩＤには、下線を引く。新たなレコードのうち最初のレコードについては、無条件で工程ＩＤに下線を引く。
（４）新たなレコードの表示日付欄１５３に、工程情報３１のｐ番目のレコードの終了予定日を記憶する。
（５）図面ＩＤを数字が若い順に採番し、新たなレコードの図面ＩＤ欄１５１に記憶する。
【００５０】
形状工程連携部２１は、（１）〜（５）の処理を、ｐ＝１、２、３、４、・・・、ｎについて繰り返す。この繰り返し処理が終了した時点で、原則、新たなレコードはｎ個作成されており、それらのレコードのそれぞれに、下線が引かれた工程ＩＤが１つずつ記憶されていることになる。例外的に、例えば「Ｗ００３」及び「Ｗ００５」のように、工程のなかに終了予定日が同じものが複数ある場合、下線が引かれた工程ＩＤを複数有する新たなレコードが存在することになる（図７の３、５行目）。この場合、新たなレコードの数は、ｎ個より重複分だけ少なくなる。
【００５１】
第３に、形状工程連携部２１は、「第２」において作成された新たなレコードの製品差分欄１５４及び状態差分欄１５５に、それぞれ、製品差分及び状態差分を取得したうえで記憶する。形状工程連携部２１は、当該図面に記載される製品のうち、直前の図面に記載されていない製品の製品ＩＤを、製品差分欄１５４の製品差分とする。形状工程連携部２１は、当該図面において初めて表現される作業の対象となる製品の製品ＩＤを状態差分欄１５５の状態差分とする。
【００５２】
ステップＳ２０６において、工程視覚化部２２は、スケジュール表示画面５２（図９）を表示する。具体的には、工程視覚化部２２は、工程情報３１に基づいてスケジュール表示画面５２を出力装置１３に表示する。このとき、工程視覚化部２２は、前記したように、図１０のスケジュール表示画面５２を表示してもよい。
【００５３】
ステップＳ２０７において、工程視覚化部２２は、スケジュール表示画面５２の処理を実行する。前記した内容とも重複するが、工程視覚化部２２が実行する処理を再度掲げれば以下の通りである。
（１）スケジュール表示画面５２のバー１７６ｃに関連付けて図面５１を表示する（図１１）。
（２）（１）において表示した図面５１の任意の図形に関連付けて、工程名称１７７ｃ及びバー１７６ｃを強調表示する（図１２）。
（３）スケジュール表示画面５３に、工数を併せて表示する（図１３）。
（４）スケジュール表示画面５２の各工程の開始予定日及び終了予定日に関連付けて、図面のサムネイルを表示する（図１４）。さらに、ユーザがバー１７６ｑの位置を移動させるのを受け付けると、当該バーの工程の開始予定日及び終了予定日を更新する。
【００５４】
ステップＳ２０８において、工程視覚化部２２は、差分を表示する。前記したように、差分を表示する方法は、製品差分のうち増加分を表示する方法（図１５）、製品差分のうち減少分を表示する方法（図１６）及び状態差分を表示する方法（図１７）を含む。
ステップＳ２０９において、工程視覚化部２２は、連続表示画面５５（図１８）を表示する。このとき、前記したように、工程視覚化部２２は、ユーザの指示を受け付けて、又は自動的に、時系列的に連続する複数の図面の表示設定を揃える又は変化させる（図１９、図２０）。このことで利用者は複数図面を同じ見方で閲覧することができ、理解の容易性が向上する。
【００５５】
ステップＳ２１０において、工程視覚化部２２は、設備区分別連続表示画面５６（図２１）を表示する。当該ステップの処理内容の詳細は前記した。
ステップＳ２１１において、工程視覚化部２２は、サムネイルフローチャート５７（図２２）を表示する。当該ステップの処理内容の詳細は前記した。その後、全体処理手順を終了する。
【００５６】
（実施形態の効果）
本実施形態の工程表示装置は以下の効果を奏する。
・ユーザは、工程間の差分を容易に視認することができるので、製品の搬入、作業員の配置等を確実に行うことができる。
・ユーザは、複数の３次元図面を時系列で一覧することができ、さらに、差分となる製品は他の製品に隠れず表示されることが担保される。よって、例えば工事現場に搬入すべき製品を見落とすことがなくなる。
・ユーザは、設備区分ごとに複数の３次元図面を時系列で一覧することができる。よって、職種ごとに作業員を手配することが容易にできる。
・ユーザは、画面上で工程を示すバーを移動させることによって、当該工程の日付を容易に変更することができる。
・ユーザは、静的かつ動的に製品の表示態様が変化する様子を視認できる。よって、内容の異なる作業が順に進捗して行くことを容易に理解できる。
【００５７】
なお、本発明は前記した実施例に限定されるものではなく、様々な変形例が含まれる。例えば、前記した実施例は、本発明を分かり易く説明するために詳細に説明したものであり、必ずしも説明したすべての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
また、前記の各構成、機能、処理部、処理手段等は、それらの一部又は全部を、例えば集積回路で設計する等によりハードウエアで実現してもよい。また、前記の各構成、機能等は、プロセッサがそれぞれの機能を実現するプログラムを解釈し、実行することによりソフトウエアで実現してもよい。各機能を実現するプログラム、テーブル、ファイル等の情報は、メモリや、ハードディスク、ＳＳＤ（Solid State Drive）等の記録装置、又は、ＩＣカード、ＳＤカード、ＤＶＤ等の記録媒体に置くことができる。
また、制御線や情報線は説明上必要と考えられるものを示しており、製品上必ずしもすべての制御線や情報線を示しているとは限らない。実際には殆どすべての構成が相互に接続されていると考えてもよい。
【符号の説明】
【００５８】
１      工程表示装置
１１    中央制御装置（制御部）
１２    入力装置
１３    出力装置
１４    主記憶装置（記憶部）
１５    補助記憶装置（記憶部）
２１    形状工程連携部
２２    工程視覚化部
３１    工程情報
３２    製品図形情報
３３    作業表示情報
３４    工程順序情報
３５    図面情報
５１    図面
５２、５３  スケジュール表示画面
５４    差分表示画面
５５    連続表示画面
５６    設備区分別連続表示画面
５７    サムネイルフローチャート
【図１】
2014134942.tif 000003
【図２】
2014134942.tif 000004
【図３】
2014134942.tif 000005
【図４】
2014134942.tif 000006
【図５】
2014134942.tif 000007
【図６】
2014134942.tif 000008
【図７】
2014134942.tif 000009
【図８】
2014134942.tif 000010
【図９】
2014134942.tif 000011
【図１０】
2014134942.tif 000012
【図１１】
2014134942.tif 000013
【図１２】
2014134942.tif 000014
【図１３】
2014134942.tif 000015
【図１４】
2014134942.tif 000016
【図１５】
2014134942.tif 000017
【図１６】
2014134942.tif 000018
【図１７】
2014134942.tif 000019
【図１８】
2014134942.tif 000020
【図１９】
2014134942.tif 000021
【図２０】
2014134942.tif 000022
【図２１】
2014134942.tif 000023
【図２２】
2014134942.tif 000024
【図２３】
2014134942.tif 000025